(57)【要約】      （修正有）【課題】常圧滴漏式コーヒー機にあって、カプセルコーヒーバッグの投入やコーヒーの抽出等一連の操作が簡単におこなえる構造を有したコーヒー機抽出頭を提供する。【解決手段】コーヒー出力部に抽出頭のはまぐり式開閉の上本体１０と下本体２０を、及び前記上本体と下本体との間に位置するコーヒー箱３０を有する。前記下本体に開口を上に向く放置空間が設けられ、当放置空間内に取り外し可能なコーヒー箱が一つ設けられて、前記上本体と下本体との間にある二者を常に開けるヒンジ構造４０、及び急速に相互ロック解除させるロックスイッチが設けられて、前記コーヒー箱に手で持ち易い取っ手が設けられるようにする。【選択図】図１
0003182159.tif 000002
【実用新案登録請求の範囲】
【請求項１】
常圧滴漏式コーヒー機のコーヒー出力部に抽出頭のはまぐり式開閉の上本体と下本体を、及び前記上本体と下本体との間に位置するコーヒー箱を有することにおいて、前記下本体に開口を上に向く放置空間が設けられ、当放置空間内に取り外し可能なコーヒー箱が一つ設けられて、前記上本体と下本体との間にある二者を常に開けるヒンジ構造、及び急速に相互ロック解除させるロックスイッチが設けられて、前記コーヒー箱に手で持ち易い取っ手が設けられるようにしたことを特徴とする操縦しやすいコーヒー機抽出頭の構造。
【請求項２】
前記コーヒー箱を回転対称のカップ状とし、前記取っ手を前記コーヒー箱のカップ状の開口エッジに延びている部とするようにしたことを特徴とする請求項１記載の操縦しやすいコーヒー機抽出頭の構造。
【請求項３】
前記取っ手を二つ有し、前記取っ手が前記コーヒー箱の中心軸に対称して回転させるようにしたことを特徴とする請求項２記載の操縦しやすいコーヒー機抽出頭の構造。
【請求項４】
前記ヒンジ構造の回転軸にはねじりばねを有するようにしたことを特徴とする請求項１記載の操縦しやすいコーヒー機抽出頭の構造。
【請求項５】
前記ロックスイッチに垂直押しボタンを一つ有し、当ボタンが下本体の外週に設置されて、前記ボタンの位置に対応して前記上本体に垂直方向で当ボタンをロックするトングが設けられるようにしたことを特徴とする請求項１記載の操縦しやすいコーヒー機抽出頭の構造。
【請求項６】
前記上本体と下本体を閉じた時と二者の間の前記コーヒー箱に同軸の回転対称構造を有し、前記ロックスイッチと上本体及び下本体との間の接続部が当回転対称軸で対称的に１８０°回転されるようにしたことを特徴とする請求項１記載の操縦しやすいコーヒー機抽出頭の構造。
【請求項７】
前記コーヒー箱がカプセルコーヒーバッグに適用されるようにしたことを特徴とする請求項１記載の操縦しやすいコーヒー機抽出頭の構造。
【考案の詳細な説明】
【技術分野】
【０００１】
本考案は操縦しやすいコーヒー機抽出頭の構造に関する。
【背景技術】
【０００２】
常圧式コーヒー機抽出頭の構造には、通常、分離できる上本体と下本体とそのコーヒー箱を有し、実際に使用する場合、まずコーヒー箱を分離の上本体と下本体との間から取り出し、コーヒー粉を入れてから更にコーヒー箱を上本体と下本体との間に戻し、マシンを起動して抽出完成した。どのように抽出頭の構造を設計し、コーヒー機の操作に対して上本体と下本体をオン/オフに抽出するのも、コーヒー箱を取り出し/戻しにするのも、すべてお手軽さで迅速に見えて、こういうコーヒー機は必然の人間化の設計の需要のである。
【考案の概要】
【考案が解決しようとする課題】
【０００３】
上記の需要について、本考案は提出する操縦しやすいコーヒー機抽出頭の構造に、次の技術提案がある。
【課題を解決するための手段】
【０００４】
常圧滴漏式コーヒー機のコーヒー出力部に抽出頭のはまぐり式開閉の上本体と下本体を有して、前記下本体に開口を上に向けての放置空間が設けられ、当放置空間内に取り外し可能なコーヒー箱が一つ設けられて、前記上本体と下本体との間にある二者を常に開けるヒンジ構造、及び急速に相互ロック解除させるロックスイッチが設けられて、前記コーヒー箱に手で持ち易い取っ手が設けられるようにした操縦しやすいコーヒー機抽出頭の構造。
【０００５】
本考案の一つの最適的な提案として、次の通りに改善させる。
【０００６】
一つの良い実施例では、前記コーヒー箱を回転対称カップ状とし、前記取っ手を前記コーヒー箱のカップ状開口エッジに延びている部とする。
【０００７】
前記提案につく良い実施例では、前記取っ手を二つ有し、前記取っ手が前記コーヒー箱の中心軸に対称して回転される。
【０００８】
一つの良い実施例では、前記ヒンジ構造の回転軸にはねじりばねを有する。
【０００９】
一つの良い実施例では、前記ロックスイッチに垂直押しボタンを一つ有し、当ボタンが下本体の外週に設置されて、前記ボタンの位置に対応して前記上本体に垂直方向で当ボタンをロックするトングが設けられる。
【００１０】
一つの良い実施例では、閉じた時の前記上本体と下本体がその二者の間の前記コーヒー箱と同軸の回転対称構造を有し、前記ロックスイッチと上本体、下本体との間の接続部が当回転対称軸で対称的に１８０°回転される。
【００１１】
一つの良い実施例では、前記コーヒー箱がカプセルコーヒーバッグに適用される。
【考案の効果】
【００１２】
本考案は以下の技術効果を得る。
【００１３】
第一、抽出頭を操作する過程に対して、ボタンを押して上本体と下本体を開けて手で取っ手を持ってコーヒー箱を荷役しても、上本体と下本体を閉鎖しても、そのステップが非常に簡潔で、力の方向が明確で、全体の抽出頭の操作が便利で速い。
【００１４】
第二、垂直抑えつけの操作ボタンによって、垂直方向に当ボタンのトングがロックされると、コーヒー機の垂直方向から受けた支えが十分に利用されるので、信頼できる安全な操作が得る。
【００１５】
第三、対称の回転を採用するコーヒー箱の取っ手には、コーヒー箱の取り出しと入れが手の習慣やコーヒー機の放置環境に制御されなくて、便利で速い。
【００１６】
第四、本考案は特にカプセルコーヒーバッグに適用される。
【考案を実施するための形態】
【００１７】
以下には、図と実施の形態を見ながら本考案の技術提案を説明しようとする。
【００１８】
実施の形態一には、図１のように、本考案の実施の形態一の爆発を示す図であって、図２のように、図１の実施の形態の組立及び使用説明を示す図であって、図１と図２を結合して説明しよう。
【００１９】
当コーヒー機の抽出頭の構造には、常圧滴漏式コーヒー機のコーヒー出力部に主な部品として抽出頭のはまぐり式開閉の上本体１０と下本体２０を有して、前記上本体１０と下本体２０との間にある二者を常に開けるヒンジ構造４０を有す。ヒンジ構造４０に回転軸４１やねじりばね４２を有して、上本体１０と下本体２０が回転軸４１によってエッジに連結されて、回転軸４１が上方を通してねじりばね４２に連結されて、ねじりばね４２の二つの応力端がそれぞれ上本体１０と下本体２０に作用されて、ねじりばね４２の応力作用で、若し上本体１０と下本体２０との間に他の作用力がないと、上本体１０が下本体２０に対して回転軸４１を軸として開けた状態に保持される。
【００２０】
下本体２０のなかには、コーヒー箱３０が設置されて、このコーヒー箱３０が下本体２０の上に向く開口から入れて取出されて、上本体１０と下本体２０を閉じると、コーヒー箱３０と上本体１０及び下本体２０に対して同軸の回転対称構造を有す。コーヒー箱３０を一つのカッブ形にして、一つの取っ手３１がそのエッジに延ばさせるのである。
【００２１】
下本体２０のエッジにボタン２１が設置されて、当ボタン２１が下本体２０の上に押し受けられると、下本体２０が引っくり返させて回して、その反転軸が下本体２０の中心軸に垂直されて、ボタン２１が下方向に向いて垂直的に押されて、ボタン２１の位置に対応して、上本体１０の上にトング１２を有して、当トング１２が垂直方向にボタン２１のなかでロックされる。
【００２２】
実際使用に、本考案がカプセルコーヒーバッグに最適されて、カプセルコーヒーバッグ中のコーヒーの粉容量、粉末密度、粉体形が一致されるので、抽出のコーヒー味及び濃度と出力測定器の一貫性が良く、そして、すべての抽出過程がそのカプセル内に完成されて、機器への追加の汚染がないと同時に、カプセルコーヒーバッグが簡単に速めに交換されて、コーヒー箱３０に毎回一つのカプセルコーヒーバッグが放置されて、本考案の抽出構造の利便性が明らかに現せる。上本体１０と下本体２０を閉じて、かつコーヒー箱３０のなかにコーヒーカプセルを正確に放置されると、上本体１０からお湯の滴をコーヒー３０箱に落ちて、コーヒーカプセルに入れってコーヒー粉を抽出した後、下本体２０を経由して、支え５０の方向に向かってコーヒーの容器に流れ込む。
【００２３】
本例では、ボタン２１が上本体１０と下本体２０との間に連結される部、即ち回転軸４１がコーヒー箱３０の回転対称軸に対称して１８０°回転されて、当位置でねじりばね４２がボタン２１に対して最小のトルクを発生して且つ水平面に垂直されて、上本体１０が単点的有効に下本体２０にロックされる。
【００２４】
図２のように、本実施の形態の操作を示す。コーヒー機の休眠状態で普通に上本体１０とキャップ１１が下本体２０にロックされる同時に、コーヒー箱３０が何も入れないでその中に放置されて、先ず中空の太い矢印の方向についてボタン２１が押されて、トング１２のロックを解除して、その上に上本体１０とキャップ１１がねじりばね４２の作用で細い中空矢印の方向に沿って弾けて、上本体１０と下本体２０がはまぐり式の状態で開けて、そこでコーヒー箱３０が手で取っ手３１を持って取出されて、その中に必要な抽出のコーヒー粉が放置される。
【００２５】
コーヒー箱３０にカプセルコーヒーバッグを入れたと、同じように手で取っ手３１を持って下本体２０の中にコーヒー箱３０を楽に入れて、最後に細い中空矢印の逆方向に沿ってキャップ１１からキャップ１１と上本体１０を力入れて押して、至ってトング１２を再びボタン２１にロックさせて、このように完全な操作循環が完成されて、機械を起動して抽出の操作が実行される。抽出後に以上の一部分の操作を繰り返してカプセルコーヒーバッグなどを交換する仕事が完成される。明らかに、全体の過程で、ボタン２１を押して上本体１０と下本体２０を開けて手で取っ手３１を持ってコーヒー箱３０を荷役しても、キャップ１１を押して上本体１０と下本体２０を閉じても、そのステップが非常に簡潔で、力の方向が明確で、全体の抽出頭の操作が便利で速い。一方、ボタン２１を垂直方向に向いて押す力が合理で、コーヒー機の垂直方向に受けた支えを充分に利用するので、信頼できる安全な操作である。
【００２６】
実施の形態二には、図３のように、本考案の実施の形態二のコーヒー箱を示す。本実施の形態の上本体１０と下本体２０が実施の形態一と同じように、その違いは当コーヒー箱３０の形態である。図３のように、本考案の実施の形態で、コーヒー箱３０にその取っ手３１を二つ有して、且つ前記コーヒー箱３０の中心軸に対して対称的に回される。当コーヒー箱３０が図２の下本体２０中に設置されると、左手か右手に慣れて、皆便利にコーヒー箱３０を持ち取って、さらにコーヒー箱３０の取り出しと入れとアクション役に立つ手習慣やコーヒー機を置く環境の制約に限らなくて、便利で速い。
【００２７】
以上で述べたのはただ本考案のよい実施の形態である。しかし、本考案の実施範囲はこれに限定されるものではなく、すなわち、本考案の特許範囲や説明書の内容に基づいて等価的に変形させて装飾させることが可能であり、それらは本考案カバーの範囲から排除するものではない。
【図面の簡単な説明】
【００２８】
【図１】本考案の実施の形態一の爆発を示す図である。
【図２】図１の実施の形態の組立及び使用説明を示す図である。
【図３】本考案の実施の形態二のコーヒー箱の立体を示す図である。
【符号の説明】
【００２９】
１０  上本体
１１  キャップ
１２  トング
２０  下本体
２１  ボタン
３０  コーヒー箱
３１  取っ手
４０  ヒンジ構造
４１  回転軸
４２  ねじりばね
５０  支え
【図１】
0003182159.tif 000003
【図２】
0003182159.tif 000004
【図３】
0003182159.tif 000005
【手続補正書】
【提出日】平成25年1月4日(2013.1.4)
【手続補正１】
【補正対象書類名】実用新案登録請求の範囲
【補正対象項目名】全文
【補正方法】変更
【補正の内容】
【実用新案登録請求の範囲】
【請求項１】
常圧滴漏式コーヒー機のコーヒー流れ口部に抽出頭のはまぐり式開閉の上本体と下本体を、及び前記上本体と下本体との間に位置するコーヒー箱を有するコーヒー機抽出頭の構造において、前記下本体に開口を上に向く放置空間が設けられ、当放置空間内に取り外し可能なコーヒー箱が一つ設けられて、前記上本体と下本体との間にある、前記上本体と下本体を常に開けるヒンジ構造、及び急速に前記上本体と下本体を相互ロック解除させるロックスイッチが設けられて、前記コーヒー箱に手で持ち易い取っ手が設けられるようにしたことを特徴とする操縦しやすいコーヒー機抽出頭の構造。
【請求項２】
前記コーヒー箱を回転対称のカップ状とし、前記取っ手を前記コーヒー箱のカップ状の開口エッジに延びている一体成型の薄い板とするようにしたことを特徴とする請求項１記載の操縦しやすいコーヒー機抽出頭の構造。
【請求項３】
前記取っ手を二つ有し、前記取っ手が前記コーヒー箱の中心軸に対称して回転させるようにしたことを特徴とする請求項２記載の操縦しやすいコーヒー機抽出頭の構造。
【請求項４】
前記ヒンジ構造の回転軸にはねじりばねを有するようにしたことを特徴とする請求項１記載の操縦しやすいコーヒー機抽出頭の構造。
【請求項５】
前記ロックスイッチに垂直押しボタンを一つ有し、当ボタンが下本体の外周に設置されて、前記ボタンの位置に対応して前記上本体に垂直方向で当ボタンをロックするトングが設けられるようにしたことを特徴とする請求項１記載の操縦しやすいコーヒー機抽出頭の構造。
【請求項６】
閉じた時の前記上本体と下本体及び、前記上本体と下本体の間に設置される前記コーヒー箱について同軸の回転対称構造とする回転対称軸を有し、前記ロックスイッチと上本体及び下本体との間の接続部が前記回転対称軸で対称的に１８０°回転されるようにしたことを特徴とする請求項１記載の操縦しやすいコーヒー機抽出頭の構造。
【請求項７】
前記コーヒー箱がカプセルコーヒーバッグに適用されるようにしたことを特徴とする請求項１記載の操縦しやすいコーヒー機抽出頭の構造。
【手続補正２】
【補正対象書類名】明細書
【補正対象項目名】全文
【補正方法】変更
【補正の内容】
【考案の詳細な説明】
【技術分野】
【０００１】  本考案は操縦しやすいコーヒー機抽出頭の構造に関する。
【背景技術】
【０００２】  常圧式コーヒー機抽出頭の構造には、通常、分離できる上本体と下本体とそのコーヒー箱を有し、実際に使用する場合、まずコーヒー箱を分離の上本体と下本体との間から取り出し、コーヒー粉を入れてから更にコーヒー箱を上本体と下本体との間に戻し、マシンを起動して抽出完成した。どのように抽出頭の構造を設計し、コーヒー機の操作に対して上本体と下本体をオン/オフに抽出するのも、コーヒー箱を取り出し/戻しにするのも、すべてお手軽さで迅速に見えて、こういうコーヒー機は必然の人間化の設計の需要である。
【考案の概要】
【考案が解決しようとする課題】
【０００３】  上記の需要について、本考案は提出する操縦しやすいコーヒー機抽出頭の構造に、次の技術提案がある。
【課題を解決するための手段】
【０００４】  常圧滴漏式コーヒー機のコーヒー流れ口部に抽出頭のはまぐり式開閉の上本体と下本体を有して、前記下本体に開口を上に向けての放置空間が設けられ、当放置空間内に取り外し可能なコーヒー箱が一つ設けられて、前記上本体と下本体との間にある、前記上本体と下本体を常に開けるヒンジ構造、及び急速に前記上本体と下本体を相互ロック解除させるロックスイッチが設けられて、前記コーヒー箱に手で持ち易い取っ手が設けられるようにした操縦しやすいコーヒー機抽出頭の構造。【０００５】  本考案の一つの最適的な提案として、次の通りに改善させる。【０００６】  一つの良い実施例では、前記コーヒー箱を回転対称カップ状とし、前記取っ手を前記コーヒー箱のカップ状開口エッジに延びている一体成型の薄い板とする。【０００７】  前記提案につく良い実施例では、前記取っ手を二つ有し、前記取っ手が前記コーヒー箱の中心軸に対称して回転される。【０００８】一つの良い実施例では、前記ヒンジ構造の回転軸にはねじりばねを有する。【０００９】  一つの良い実施例では、前記ロックスイッチに垂直押しボタンを一つ有し、当ボタンが下本体の外周に設置されて、前記ボタンの位置に対応して前記上本体に垂直方向で当ボタンをロックするトングが設けられる。【００１０】  一つの良い実施例では、閉じた時の前記上本体と下本体及び、前記上本体と下本体の間に設置される前記コーヒー箱について同軸の回転対称構造とする回転対称軸を有し、前記ロックスイッチと上本体及び下本体との間の接続部が前記回転対称軸で対称的に１８０°回転される。【００１１】  一つの良い実施例では、前記コーヒー箱がカプセルコーヒーバッグに適用される。
【考案の効果】
【００１２】  本考案は以下の技術効果を得る。【００１３】  第一、抽出頭を操作する過程に対して、ボタンを押して上本体と下本体を開けて手で取っ手を持ってコーヒー箱を荷役しても、上本体と下本体を閉鎖しても、そのステップが非常に簡潔で、力の方向が明確で、全体の抽出頭の操作が便利で速い。【００１４】  第二、垂直抑えつけの操作ボタンによって、垂直方向に当ボタンのトングがロックされると、コーヒー機の垂直方向から受けた支えが十分に利用されるので、信頼できる安全な操作が得られる。【００１５】  第三、対称の回転を採用するコーヒー箱の取っ手には、コーヒー箱の取り出しと入れが手の習慣やコーヒー機の放置環境に制御されなくて、便利で速い。【００１６】  第四、本考案は特にカプセルコーヒーバッグに適用される。
【考案を実施するための形態】
【００１７】  以下には、図と実施の形態を見ながら本考案の技術提案を説明しようとする。
【００１８】  実施の形態一には、図１のように、本考案の実施の形態一の爆発を示す図であって、図２のように、図１の実施の形態の組立及び使用説明を示す図であって、図１と図２を結合して説明しよう。
【００１９】  当コーヒー機の抽出頭の構造には、常圧滴漏式コーヒー機のコーヒー流れ口部に主な部品として抽出頭のはまぐり式開閉の上本体１０と下本体２０を有して、前記上本体１０と下本体２０との間にある二者を常に開けるヒンジ構造４０を有す。ヒンジ構造４０に回転軸４１やねじりばね４２を有して、上本体１０と下本体２０が回転軸４１によってエッジに連結されて、回転軸４１が上方を通してねじりばね４２に連結されて、ねじりばね４２の二つの応力端がそれぞれ上本体１０と下本体２０に作用されて、ねじりばね４２の応力作用で、若し上本体１０と下本体２０との間に他の作用力がないと、上本体１０が下本体２０に対して回転軸４１を軸として開けた状態に保持される。
【００２０】  下本体２０のなかには、コーヒー箱３０が設置されて、このコーヒー箱３０が下本体２０の上に向く開口から入れて取出されて、上本体１０と下本体２０を閉じると、コーヒー箱３０と上本体１０及び下本体２０に対して同軸の回転対称構造とする回転対称軸を有す。コーヒー箱３０を一つのカッブ形にして、一つの取っ手３１がそのエッジに延ばさせる一体成型の薄い板である。
【００２１】  下本体２０のエッジにボタン２１が設置されて、当ボタン２１が下本体２０の上に押し受けられると、下本体２０が引っくり返させて回して、その反転軸が下本体２０の中心軸に垂直されて、ボタン２１が下方向に向いて垂直的に押されて、ボタン２１の位置に対応して、上本体１０の上にトング１２を有して、当トング１２が垂直方向にボタン２１のなかでロックされる。
【００２２】  実際使用に、本考案がカプセルコーヒーバッグに最適されて、カプセルコーヒーバッグ中のコーヒーの粉容量、粉末密度、粉体形が一致されるので、抽出のコーヒー味及び濃度と出力測定器の一貫性が良く、そして、すべての抽出過程がそのカプセル内に完成されて、機器への追加の汚染がないと同時に、カプセルコーヒーバッグが簡単に速めに交換されて、コーヒー箱３０に毎回一つのカプセルコーヒーバッグが放置されて、本考案の抽出構造の利便性が明らかに現せる。上本体１０と下本体２０を閉じて、かつコーヒー箱３０のなかにコーヒーカプセルを正確に放置されると、上本体１０からお湯の滴をコーヒー３０箱に落ちて、コーヒーカプセルに入れってコーヒー粉を抽出した後、下本体２０を経由して、支え５０の方向に向かってコーヒーの容器に流れ込む。
【００２３】  本例では、ボタン２１が上本体１０と下本体２０との間に連結される部、即ち回転軸４１がコーヒー箱３０の回転対称軸に対称して１８０°回転されて、当位置でねじりばね４２がボタン２１に対して最小のトルクを発生して且つ水平面に垂直されて、上本体１０が単点的有効に下本体２０にロックされる。
【００２４】  図２のように、本実施の形態の操作を示す。コーヒー機の休眠状態で普通に上本体１０とキャップ１１が下本体２０にロックされる同時に、コーヒー箱３０が何も入れないでその中に放置されて、先ず中空の太い矢印の方向についてボタン２１が押されて、トング１２のロックを解除して、その上に上本体１０とキャップ１１がねじりばね４２の作用で細い中空矢印の方向に沿って弾けて、上本体１０と下本体２０がはまぐり式の状態で開けて、そこでコーヒー箱３０が手で取っ手３１を持って取出されて、その中に必要な抽出のコーヒー粉が放置される。
【００２５】  コーヒー箱３０にカプセルコーヒーバッグを入れたと、同じように手で取っ手３１を持って下本体２０の中にコーヒー箱３０を楽に入れて、最後に細い中空矢印の逆方向に沿ってキャップ１１からキャップ１１と上本体１０を力入れて押して、至ってトング１２を再びボタン２１にロックさせて、このように完全な操作循環が完成されて、機械を起動して抽出の操作が実行される。抽出後に以上の一部分の操作を繰り返してカプセルコーヒーバッグなどを交換する仕事が完成される。明らかに、全体の過程で、ボタン２１を押して上本体１０と下本体２０を開けて手で取っ手３１を持ってコーヒー箱３０を荷役しても、キャップ１１を押して上本体１０と下本体２０を閉じても、そのステップが非常に簡潔で、力の方向が明確で、全体の抽出頭の操作が便利で速い。一方、ボタン２１を垂直方向に向いて押す力が合理で、コーヒー機の垂直方向に受けた支えを充分に利用するので、信頼できる安全な操作である。
【００２６】  実施の形態二には、図３のように、本考案の実施の形態二のコーヒー箱を示す。本実施の形態の上本体１０と下本体２０が実施の形態一と同じように、その違いは当コーヒー箱３０の形態である。図３のように、本考案の実施の形態で、コーヒー箱３０にその取っ手３１を二つ有して、且つ前記コーヒー箱３０の中心軸に対して対称的に回される。当コーヒー箱３０が図２の下本体２０中に設置されると、左手か右手に慣れて、皆便利にコーヒー箱３０を持ち取って、さらにコーヒー箱３０の取り出しと入れとアクション役に立つ手習慣やコーヒー機を置く環境の制約に限らなくて、便利で速い。
【００２７】  以上で述べたのはただ本考案のよい実施の形態である。しかし、本考案の実施範囲はこれに限定されるものではなく、すなわち、本考案の請求範囲や説明書の内容に基づいて等価的に変形させて装飾させることが可能であり、それらは本考案カバーの範囲から排除するものではない。
【図面の簡単な説明】
【００２８】
【図１】本考案の実施の形態一の爆発を示す図である。
【図２】図１の実施の形態の組立及び使用説明を示す図である。
【図３】本考案の実施の形態二のコーヒー箱の立体を示す図である。
【符号の説明】
【００２９】１０  上本体１１  キャップ１２  トング２０  下本体２１  ボタン３０  コーヒー箱３１  取っ手４０  ヒンジ構造４１  回転軸４２  ねじりばね５０  支え